(57)【要約】【課題】カードの無駄使い防止のために最大取出枚数を制限するとともにイタズラ行為を防止し得るように構成したカード取出口を有する、カード収納ボックスを提供する。【解決手段】本考案のカード収納ボックスは、設定枚数のマークカード２を収納し得る内箱部１と、内箱部１内に収納したマークカード２を前面側に押圧付勢するカードホルダ３と、側面板４ａ，４ｂおよび底面板４ｃを備える外箱部４と、外箱部４の上部を覆うように着脱自在に配置される天井板５とから成り、内箱部１の前面板１ａを、外箱部４の左右側面前端部の天井板５から垂直方向に２０ｍｍ離間した位置に上端部が接した状態で、垂直面に対して５°傾斜させて配置し、天井板５の前端部を奥行き方向に５ｍｍ、幅方向に５５ｍｍ切り欠くことにより、内箱部１内に収納した厚さ０．１２ｍｍのマークカード２を最大１０枚までの任意の枚数だけ取り出し得るカード取出口が形成されている。【選択図】図１
0003124803.tif 000002
【実用新案登録請求の範囲】
【請求項１】
公営競技場で投票に使用するマークカードやロトシックス申込カード等の宝くじ購入カードを含む各種カードを収納するためのカード収納ボックスであって、
予め設定した枚数のカードを収納し得る容積を有する内箱部と、前記内箱部内に配置されて前記内箱部内に収納したカードを前面側に押圧付勢するカードホルダと、前記内箱部の左右側面をそれぞれ覆う左側面板および右側面板ならびに前記内箱部の下面を所定距離離間して覆う底面板を備える外箱部と、前記外箱部の上部を覆うように着脱自在に配置される天井板とから成り、
少なくとも前記内箱部、前記外箱部および前記天井板のそれぞれは透明スモーク材製であり、
前記内箱部の前面板を、前記外箱部の左右側面前端部の前記天井板から垂直方向に所定距離離間した位置に上端部が接した状態で、垂直面に対して所定角度傾斜させて配置するとともに、前記天井板の前端部を奥行き方向および幅方向に所定寸法切り欠くことにより、前記内箱部内に収納したカードを８枚〜１５枚の何れかの枚数に設定した最大取出枚数以内の任意の枚数だけ取り出し得るカード取出口を形成したことを特徴とするカード収納ボックス。
【請求項２】
前記カードとして１枚当たりの厚さが０．０９５ｍｍ〜０．１７５ｍｍのカードを用いる場合に、前記内箱部の前面板を、前記外箱部の左右側面前端部の前記天井板から垂直方向に１５ｍｍ〜２５ｍｍ離間した位置に上端部が接した状態で、垂直面に対して５°〜８°傾斜させて配置し、前記天井板の前端部を奥行方向に２ｍｍ〜５ｍｍ、幅方向に５５ｍｍ〜６０ｍｍ切り欠くとともに、前記内箱部内に収納したカードと前記天井板との垂直方向の隙間を１ｍｍ以上確保することにより、前記内箱部内に収納したカードを１０枚以内の任意の枚数だけ取り出し得るカード取出口を形成したことを特徴とする請求項１記載のカード収納ボックス。
【請求項３】
仕切板を介在させることにより前記内箱部を複数区画に区分し、それぞれの区画に対応させて前記カードホルダおよび前記天井板の切り欠きを設けることにより、種類の異なるカードを収納し得る複数のカード収納部を形成したことを特徴とする請求項１または２記載のカード収納ボックス。
【請求項４】
前記内箱部は、前記カード収納部１つ当たりカードを５００枚〜７００枚収納し得る容積を有することを特徴とする請求項３記載のカード収納ボックス。
【請求項５】
前記カードホルダは、前記カード収納部内に収納した最大枚数５００枚〜７００枚のカードを前面側に押圧付勢し得るバネ力を有するバネを内蔵する２つの蝶番の一端をそれぞれ長方形の両短辺に結合された当接部材と、前記２つの蝶番の一方の他端を結合される端部の端面が前記当接部材の一方の端辺に接するように配置されたコの字型部材と、前記２つの蝶番の他方の他端を結合される端部の端面が前記当接部材の他方の端辺に接するように配置された矩形部材とから成り、前記当接部材に対して前記コの字型部材および前記矩形部材を折り畳んだ状態で、前記当接部材が前記カードに当接するように前記内箱部内に配置することを特徴とする請求項３または４記載のカード収納ボックス。
【考案の詳細な説明】
【技術分野】
【０００１】
本考案は、公営競技場で投票に使用するマークカードやロトシックス申込カード等の宝くじ購入カードを含む各種カードを収納するためのカード収納ボックスに関するものである。
【背景技術】
【０００２】
公営競技場で投票に使用するマークカードは、公営競技場の入場門付近や投票券発売所付近等の予め設定した場所に設置されたカード置場に山積み状態で配置されており、投票を行うファンが何枚でも自由に持って行けるような形態でファンに提供されている。
【０００３】
公営競技場で投票に使用するマークカードは、裏面には何も印刷されていないため、本来の投票という用途以外に、「メモ用紙」として使用することも可能である。そのため、特に、公営競技場の入場門付近に設置されたカード置場に配置されたマークカードの場合は、ファンが一度に多量の枚数（例えば１００枚）のマークカードを持って行くことがあり、その場合の未使用分のマークカードは、ファンが持ち帰ってメモ用紙として使用したり、そのまま捨ててしまったりすることが多くなるので、マークカードの浪費を招くことになる。
【考案の開示】
【考案が解決しようとする課題】
【０００４】
マークカードの浪費を防止する対策としては、マークカードをボックス内に収容して、ボックスに設けたカード取出口から、予め設定した最大取出枚数以内の任意の枚数だけファンがマークカードを取り出せるようにするカード提供方法が考えられる。しかしながら、カード取出口を大きくし過ぎると、ファンが一度に取り出せるマークカードの枚数が最大取出枚数を越えてしまい、カード取出口を小さくし過ぎると、ファンが一度に取り出せるマークカードの枚数が最大取出枚数に満たなくなってしまい、また、カード取出口の形状によっては、マークカードが取り出しにくくなることもある。さらに、他の競技場のマークカードをカード取出口からボックス内に入れるイタズラ行為や、当該競技場のマークカードであってもクロックラインに鉛筆で記入したものなどをカード取出口からボックス内に戻すイタズラ行為を行うファンの存在も確認されており、そのようなイタズラ行為が行われた場合には、自動発券機のエラーを招くことになる。
【０００５】
本考案は、最大取出枚数を所望の枚数に制限するとともに上記イタズラ行為を防止し得るようにカード取出口を構成することにより、カードの無駄使いを防止してエコロジーに寄与するとともに上記イタズラ行為を防止するようにしたカード収納ボックスを提供することを目的とする。
【課題を解決するための手段】
【０００６】
上記目的を達成するため、請求項１に記載の第１考案は、公営競技場で投票に使用するマークカードやロトシックス申込カード等の宝くじ購入カードを含む各種カードを収納するためのカード収納ボックスであって、予め設定した枚数のカードを収納し得る容積を有する内箱部と、前記内箱部内に配置されて前記内箱部内に収納したカードを前面側に押圧付勢するカードホルダと、前記内箱部の左右側面をそれぞれ覆う左側面板および右側面板ならびに前記内箱部の下面を所定距離離間して覆う底面板を備える外箱部と、前記外箱部の上部を覆うように着脱自在に配置される天井板とから成り、少なくとも前記内箱部、前記外箱部および前記天井板のそれぞれは透明スモーク材製であり、前記内箱部の前面板を、前記外箱部の左右側面前端部の前記天井板から垂直方向に所定距離離間した位置に上端部が接した状態で、垂直面に対して所定角度傾斜させて配置するとともに、前記天井板の前端部を奥行方向および幅方向に所定寸法切り欠くことにより、前記内箱部内に収納したカードを８枚〜１５枚の何れかの枚数に設定した最大取出枚数以内の任意の枚数だけ取り出し得るカード取出口を形成したことを特徴とする。
【０００７】
請求項２に記載の第２考案は、前記カードとして１枚当たりの厚さが０．０９５ｍｍ〜０．１７５ｍｍのカードを用いる場合に、前記内箱部の前面板を、前記外箱部の左右側面前端部の前記天井板から垂直方向に１５ｍｍ〜２５ｍｍ離間した位置に上端部が接した状態で、垂直面に対して５°〜８°傾斜させて配置し、前記天井板の前端部を奥行方向に２ｍｍ〜５ｍｍ、幅方向に５５ｍｍ〜６０ｍｍ切り欠くとともに、前記内箱部内に収納したカードと前記天井板との垂直方向の隙間を１ｍｍ以上確保することにより、前記内箱部内に収納したカードを１０枚以内の任意の枚数だけ取り出し得るカード取出口を形成したことを特徴とする。
【０００８】
請求項３に記載の第３考案は、仕切板を介在させることにより前記内箱部を複数区画に区分し、それぞれの区画に対応させて前記カードホルダおよび前記天井板の切り欠きを設けることにより、種類の異なるカードを収納し得る複数のカード収納部を形成したことを特徴とする。
【０００９】
請求項４に記載の第４考案は、前記内箱部は、前記カード収納部１つ当たりカードを５００枚〜７００枚収納し得る容積を有することを特徴とする。
【００１０】
請求項５に記載の第５考案は、前記カードホルダは、前記カード収納部内に収納した最大枚数５００枚〜７００枚のカードを前面側に押圧付勢し得るバネ力を有するバネを内蔵する２つの蝶番の一端をそれぞれ長方形の両短辺に結合された当接部材と、前記２つの蝶番の一方の他端を結合される端部の端面が前記当接部材の一方の端辺に接するように配置されたコの字型部材と、前記２つの蝶番の他方の他端を結合される端部の端面が前記当接部材の他方の端辺に接するように配置された矩形部材とから成り、前記当接部材に対して前記コの字型部材および前記矩形部材を折り畳んだ状態で、前記当接部材が前記カードに当接するように前記内箱部内に配置することを特徴とする。
【考案の効果】
【００１１】
第１考案によれば、公営競技場で投票に使用するマークカードやロトシックス申込カード等の宝くじ購入カードを含む各種カードを収納するための本考案のカード収納ボックスは、予め設定した枚数のカードを収納し得る容積を有する内箱部と、前記内箱部内に配置されて前記内箱部内に収納したカードを前面側に押圧付勢するカードホルダと、前記内箱部の左右側面をそれぞれ覆う左側面板および右側面板ならびに前記内箱部の下面を所定距離離間して覆う底面板を備える外箱部と、前記外箱部の上部を覆うように着脱自在に配置される天井板とから成り、少なくとも前記内箱部、前記外箱部および前記天井板のそれぞれは透明スモーク材製であり、前記内箱部の前面板を、前記外箱部の左右側面前端部の前記天井板から垂直方向に所定距離離間した位置に上端部が接した状態で、垂直面に対して所定角度傾斜させて配置するとともに、前記天井板の前端部を奥行方向および幅方向に所定寸法切り欠くことにより、前記内箱部内に収納したカードを８枚〜１５枚の何れかの枚数に設定した最大取出枚数以内の任意の枚数だけ取り出し得るカード取出口を形成されているので、このカード取出口によって、最大取出枚数が所望の枚数である８枚〜１５枚に制限されるとともに、カードホルダによってカードを前面側に押圧付勢することと相俟って、上記イタズラ行為が防止される。したがって、カードの無駄使いを防止してエコロジーに寄与するとともに上記イタズラ行為を防止するようにしたカード収納ボックスを提供することができる。
【００１２】
第２考案によれば、前記カードとして１枚当たりの厚さが０．０９５ｍｍ〜０．１７５ｍｍのカードを用いる場合に、前記内箱部の前面板を、前記外箱部の左右側面前端部の前記天井板から垂直方向に１５ｍｍ〜２５ｍｍ離間した位置に上端部が接した状態で、垂直面に対して５°〜８°傾斜させて配置し、前記天井板の前端部を奥行方向に２ｍｍ〜５ｍｍ、幅方向に５５ｍｍ〜６０ｍｍ切り欠くとともに、前記内箱部内に収納したカードと前記天井板との垂直方向の隙間を１ｍｍ以上確保することにより、前記内箱部内に収納したカードを１０枚以内の任意の枚数だけ取り出し得るカード取出口を形成したので、現在実際に公営競技場で使用されている様々な厚さのマークカードやロトシックス申込カード等の宝くじ購入カードを含む各種カードの収納に対応可能である、カードの無駄使いを防止してエコロジーに寄与するとともに上記イタズラ行為を防止するようにしたカード収納ボックスを提供することができる。
【００１３】
第３考案によれば、仕切板を介在させることにより前記内箱部を複数区画に区分し、それぞれの区画に対応させて前記カードホルダおよび前記天井板の切り欠きを設けることにより、種類の異なるカードを収納し得る複数のカード収納部を形成したので、賭式の異なるマークカード等の種類の異なるカードを１つのカード収納ボックス内に収納してファンに提供するサービスを行い得るようになる。
【００１４】
第４考案によれば、前記内箱部は、前記カード収納部１つ当たりカードを５００枚〜７００枚収納し得る容積を有するから、公営競技で使用するカードであるマークカードを補給する際に５００枚単位に束ねられた状態のマークカードを前記カード収納部に収納する作業が容易に実施できるようになり、ファンに継続的にマークカードを提供できるようになる。
【００１５】
第５考案によれば、前記カードホルダは、前記カード収納部内に収納した最大枚数５００枚〜７００枚のカードを前面側に押圧付勢し得るバネ力を有するバネを内蔵する２つの蝶番の一端をそれぞれ長方形の両短辺に結合された当接部材と、前記２つの蝶番の一方の他端を結合される端部の端面が前記当接部材の一方の端辺に接するように配置されたコの字型部材と、前記２つの蝶番の他方の他端を結合される端部の端面が前記当接部材の他方の端辺に接するように配置された矩形部材とから成り、前記当接部材に対して前記コの字型部材および前記矩形部材を折り畳んだ状態で、前記当接部材が前記カードに当接するように前記内箱部内に配置されているので、前記カード収納部内に最大枚数５００枚〜７００枚のカードを収納した状態のときも、使用するにつれて枚数が減って前記カード収納部内に１枚のカードを収納した状態のときも、前記カード収納部内に収納したカードを前面側に押圧付勢することにより、カードを取り出し易くするとともにカードをカード収納ボックス内に入れたり戻したりするイタズラ行為を防止することができる。
【考案を実施するための最良の形態】
【００１６】
以下、本考案を実施するための最良の形態を図面に基づき詳細に説明する。
【００１７】
図１は本考案の第１実施形態のカード収納ボックスの全体構成を示す斜視図である。本実施形態のカード収納ボックスは、公営競技場で投票に使用するカードであるマークカードを収納するためのカード収納ボックスとして構成されており、図１に示すように、内箱部１と、内箱部１内に配置されて内箱部内に収納したマークカード２（図４参照）を前面側に押圧付勢するカードホルダ３（図４参照）と、外箱部４と、外箱部４の上部を覆うように着脱自在に配置される天井板５とを具備して成る。なお、本実施形態のカード収納ボックスの概略外形寸法は、以下に説明する構成例では、幅２０５ｍｍ×高さ２５０ｍｍ×奥行１５０ｍｍとなっている。
【００１８】
上記内箱部１は、予め設定した枚数のマークカードを収納し得る容積を有するように構成されており、前面板１ａと、背面板１ｂと、底面板１ｃと、仕切板１ｄとから成る。内箱部１の左右側面を覆う部材は、後述する外箱部４の構成部材が兼用している。
上記前面板１ａは、外箱部４の左右側面前端部の天井板４から垂直方向に２０ｍｍ離間した位置に上端部が接した状態で、垂直面に対して５°傾斜させて配置されている。
上記背面板１ｂの上端部には、バネを内蔵する蝶番６の一端が結合されている。この蝶番６の他端が後述する溝（図２（ａ）に示す溝５ａ）の中に入り込むことにより、天井板５が外箱部４の上面に係合固定されるようになっている。なお、上記蝶番６の他端の裏面には、ここでは図示していないが、蝶番６の他端と溝５ａとの係合を解除する部材（例えばヒモ）が結合されている。
【００１９】
上記内箱部１は、仕切板１ｄを介在させることにより２区画に区分されており、それぞれの区画に対応させてカードホルダ３および後述する天井板５の切り欠きを設けることにより、内箱部１内には２つのカード収納部１ｅが形成されている。これら２つのカード収納部１ｅは、賭式等の種類の異なるマークカードの収納に好適に用いることができる（同一のマークカードを２つのカード収納部１ｅの双方に同時に収納してもよいことは、言うまでもない）。なお、必要に応じて、仕切板１ｄを設けないことにより内箱部１を１区画に構成したり、仕切板１ｄをｎ枚設けることにより内箱部１を（ｎ−１）区画に構成したりすることが可能である。
ところで、公営競技の１つであるオートレースでは、投票に使用するマークカードを補給する際に５００枚単位に束ねられた状態のマークカードをカード収納部１ｅに収納する補給作業を行うことを考慮して、本実施形態では、カード収納部１つ当たり５００枚〜７００枚のマークカードを収納し得る容積に設定しており、内箱部１全体の容積は、最大７００×２＝１４００枚のマークカードを収納し得る容積となっている。
【００２０】
上記外箱部４は、図１に示すように、内箱部１の左右側面をそれぞれ覆う左側面板４ａおよび右側面板４ｂと、内箱部１の下面を所定距離離間して覆う底面板４ｃと、外箱部４の背面上部を覆う背面上部板４ｄと、外箱部４の前面下部を覆う前面下部板４ｅと、外箱部４の背面下部を覆う背面下部板４ｆとから成る。なお、上記外箱部４の、左側面板４ａと、右側面板４ｂと、底面板４ｃと、前面下部板４ｅと、背面下部板４ｆとによって包囲される空間は、「マークカードの記入に使用する鉛筆の置場」になっている。
上記左側面板４ａおよび上記右側面板４ｂの上端部近傍にはそれぞれ、天井板５を嵌合するための、幅約５ｍｍ、深さ約３ｍｍの溝４ａ−１、４ｂ−１が形成されている。
【００２１】
上記天井板５は、平面図である図２（ａ）および図２（ａ）のＡ−Ａ断面図である図２（ｂ）に示す形状に構成されている。すなわち、天井板５の後端部下面には板厚（例えば５ｍｍ）の半分程度の深さを有する溝５ａが形成されており、天井板５の前方寄りの２個所の部位には天井板５をストロークさせる際に指を入れて天井板５を掴むための楕円穴５ｂがそれぞれ形成されており、天井板５の前端部の２個所の部位には、段差付き切欠５ｃがそれぞれ形成されている。これら段差付き切欠５ｃは、まず、天井板５の前端部の図２（ａ）に示す部分の上面を切り欠いて天井板５の半分位の板厚の薄肉部を形成し、次に、その薄肉部の前端部を奥行方向に５ｍｍ、幅方向に５５ｍｍ切り欠くことにより形成することができる。なお、これら段差付き切欠５ｃには、マークカードを取り出し易くするために図示のようなＲ面取りが施されている。
【００２２】
図３（ａ），（ｂ）は第１実施形態のカード収納ボックスに用いるカードフォルダを示す図であり、図３（ａ）はバネを解放して各部材を展開した状態を示し、図３（ｂ）はバネを圧縮して各部材を折り畳んだ状態を示している。
上記カードフォルダ３は、図３（ａ）に示すように、当接部材３ａと、コの字型部材３ｂと、矩形部材３ｃと、バネを内蔵する蝶番３ｄとから成る。
上記当接部材３ａは、長方形状の部材であり、その短辺のそれぞれには蝶番３ｄの一端がネジ結合されている。
上記コの字型部材３ｂは、蝶番３ｄの他端を端部にネジ結合されており、その端部の端面は当接部材３ａの右端辺に接するように配置されている。
上記矩形部材３ｃは、蝶番３ｄの他端を端部にネジ結合されており、その端部の端面は当接部材３ａの左端辺に接するように配置されている。
上記蝶番３ｄとしては、カード収納部１ｅ内に収納した最大枚数５００枚〜７００枚のカードを前面板１ａに押圧付勢し得るバネ力を有するバネを内蔵しているものを用いる必要があり、本実施形態のカード収納ボックスでは、「タキゲン製  スプリング付き蝶番」を用いている。
上記カードフォルダ３は、図３（ｂ）に示すように当接部材３ａに対してコの字型部材３ｂおよび矩形部材３ｃを折り畳んだ状態で、当接部材３ａがマークカード２に当接するような状態（図４参照）にして内箱部１内に配置する。
【００２３】
図４は第１実施形態のカード収納ボックス内にマークカードを収納した状態を示す図である。図４は第１実施形態のカード収納ボックスを左側面板４ａ側から見た状態を示しており、内箱部１のカード収納部１ｅ内には、例えば５００枚単位に束ねられた状態のマークカード２がカードフォルダ３のバネ力によって前面板１ａに押圧付勢された状態で収納されている。カードフォルダ３は、図４に示す状態で配置しても、図４に示す状態に対して上下反転させた状態で配置してもよい。なお、カード収納ボックスの下部に設けた鉛筆置場の四隅に、図４に示すように「三角棒部材」を設けることにより、ゴミの掃除がし易い構造を実現している。
【００２４】
次に、本実施形態のカード収納ボックスにおいて収納対象とするカードについて説明する。本実施形態のカード収納ボックスにおいては、収納対象とするカードを、１枚当たりの厚さが０．０９５ｍｍ〜０．１７５ｍｍのカードとしている。このようなカードに限定した理由は、公営競技場で投票に使用するマークカードには様々な厚さのものがあり、現時点では、１枚当たりの厚さが０．０９５ｍｍ〜０．１７５ｍｍのマークカードの使用が確認されており、ロトシックス申込カードやナンバーズ等の宝くじ購入カードも１枚当たりの厚さが０．０９５ｍｍ〜０．１７５ｍｍの範囲に収まるからである。したがって、本実施形態のカード収納ボックスは、公営競技場で投票に使用するマークカードおよびロトシックス申込カードやナンバーズ等の宝くじ購入カードを含む各種カードに適用することができる。
【００２５】
次に、本実施形態のカード収納ボックスの構成例について説明する。本実施形態のカード収納ボックスをある競技場で使用されているオートレース用マークカード（縦１４１ｍｍ×横９０ｍｍ×厚さ０．１２ｍｍ）を収納対象とするカード収納ボックスとして構成する際に、以下の条件を考慮した。
【００２６】
（１）ファンがカード収納ボックスからマークカードを取り出す際の最大取出枚数を８枚〜１５枚の何れかの枚数（本実施形態の場合、１０枚）に設定することにより、多量のマークカードの一括抜き取りを防止し得る構造とすること。
（２）補給直後（５００枚収納時）も、最後の１枚になったときも、マークカードを取り出し易い構造とすること。
（３）他の競技場のマークカードや、クロックライン等に記入済みの当該競技場のマークカードを、カード収納ボックス内に入れる（戻す）イタズラ行為を防止し得る構造とすること。
（４）内部のマークカード残量が外から見えるとともに、デザイン面も意識した構造とすること。
（５）カード補給作業には５００枚単位に束ねられたマークカードを用いることを考慮して、１つのカード収納部当たりのカード収納枚数を５００枚〜７００枚とすること。なおカード補給作業の具体例としては、「カード置場」を４０個所に設置したある競技場の場合、１つのカード置場につき、一日４回〜１０回のカード補給作業を行っている実績があるので、本実施形態のカード収納ボックスに置き換えた場合、同様の頻度でカード補給作業を行うことを想定している。
（６）簡単な構造で、低価格なカード収納ボックスとすること。
（７）カード収納ボックスの下部に鉛筆置場を設けること。
【００２７】
上記条件の内、条件（５）および条件（７）は、既に説明した構成によって実現されている。
また、上記条件の内、条件（４）および条件（６）は、本実施形態のカード収納ボックスの内箱部１、外箱部４、天井板５を構成する板材として、アクリル透明スモーク材である「三菱レーヨン製  アクリルライトＬ５３０；定尺寸法１８２０ｍｍ×９１０ｍｍ×５ｍｍ」を用いることによって実現している。
【００２８】
上記条件の内、条件（１）、条件（２）、条件（３）は、本実施形態のカード収納ボックスにおいて特に重要な条件（すなわち、必須条件）である。これら条件（１）、条件（２）、条件（３）は、「図４に示すように、カードフォルダ３によってマークカード２を内箱部１の前面板１ａに押圧付勢した状態でカード収納部１ｅ内に収納すること」と、後述する「カード取出口」とによって実現している。
【００２９】
以下、オートレース用マークカード（縦１４２ｍｍ×横９０ｍｍ×厚さ０．１２ｍｍ）を収納対象とする本実施形態のカード収納ボックスにおいて最大取出枚数を１０枚に設定する場合のカード取出口について詳細に説明する。なお、以下の数値は、最大取出枚数が１０枚になるように条件を様々に変化させた検討結果に基づくものであるが、そのような数値に設定したカード取出口を有するカード収納ボックスであっても、実際に取り出せる最大取出枚数は、「カードの紙質（ざらざら、つるつるなど）」、「取り出す人の指先の状態（表面荒さ、湿気など）」、「カードを爪で引っ掛けて掴む位置が浅いか深いか」などによって１０枚前後に変化する。
【００３０】
本実施形態のカード収納ボックスにおけるカード取出口は、「天井板５と前面板１ａとの隙間（垂直方向の離間距離）」と、「前面板１ａの垂直面に対する傾斜角度」と、「天井板５の前端部に形成した薄肉部の切り欠き」と、「収納したマークカード２の上端部と天井板５との隙間（垂直方向の離間距離）」とを、以下の数値とすることにより構成されている。
【００３１】
天井板５と前面板１ａとの隙間（垂直方向の離間距離）は、２０ｍｍに設定する。具体的には、図１に示すように、外箱部４の左側面板４ａ、右側面板４ｂの前端部の、天井板５から垂直方向に２０ｍｍ離離間した位置に、前面板１ａの上端部が接するように配置する。隙間を２０ｍｍより大きくすると最大取出枚数は増加し、隙間を２０ｍｍより小さくすると最大取出枚数は減少する。１枚当たりの厚さが０．０９５ｍｍ〜０．１７５ｍｍのカードを用いる場合には、天井板５と前面板１ａとの隙間（垂直方向の離間距離）は、１５ｍｍ〜２５ｍｍに設定すればよい。
【００３２】
前面板１ａの垂直面に対する傾斜角度は、５°に設定する。傾斜角度を５°より大きくすると、隣接するマークカード間に形成される段差が大きくなるため最大取出枚数は増加し、傾斜角度を５°より小さくすると、隣接するマークカード間に形成される段差が小さくなるため最大取出枚数は減少する。１枚当たりの厚さが０．０９５ｍｍ〜０．１７５ｍｍのカードを用いる場合には、前面板１ａの垂直面に対する傾斜角度は、５°〜８°に設定すればよい。
【００３３】
天井板５の前端部に形成した薄肉部の切り欠きは、奥行方向に５ｍｍ、幅方向に５５ｍｍ切り欠くことにより形成する。この切り欠きは、奥行方向寸法を５ｍｍより大きくすると、指で掴める枚数が増えるため最大取出枚数は増加し、奥行方向寸法を５ｍｍより小さくすると、指で掴める枚数が減るため最大取出枚数は減少し、また、幅方向寸法を５５ｍｍより大きくすると指で掴み易くなって枚数が増えるため最大取出枚数は増加し、幅方向寸法を５５ｍｍより小さくすると、指で掴む際に切り欠き内に入り得る指の本数が例えば３本から２本に減ったりして指で掴み難くなって枚数が減るため最大取出枚数は減少する。１枚当たりの厚さが０．０９５ｍｍ〜０．１７５ｍｍのカードを用いる場合には、天井板５の前端部に形成した薄肉部の切り欠きは、奥行方向に２ｍｍ〜５ｍｍ、幅方向に５５ｍｍ〜６０ｍｍに設定すればよい。
なお、天井板５の前端部に形成した薄肉部は、幅方向寸法を上記切り欠きと同一寸法とし、奥行方向寸法を１０ｍｍ〜１５ｍｍとすればよい。
【００３４】
カード収納部１ｅに収納したマークカード２の上端部と天井板５との隙間（垂直方向における離間距離）は、１ｍｍ以上確保されるようにに設定する。マークカード２の上端部と天井板５との隙間として少なくとも１ｍｍが確保されていない場合には、カード収納部１ｅに収納したマークカード２の上端部と天井板５とが接近し過ぎてマークカードが取り出し難くなる。
【００３５】
上記のように構成した本実施形態のカード収納ボックスは、実際に競技場に設置する際には、以下の点に留意しながら設置作業を行うものとする。
（ａ）カード収納ボックスに収納するマークカードの方向は、必ず競技場名が下にくるような状態で収納する。このようにすると、抜き取る際にマークカードの先端が多少折れ曲がっても、自動発券機はマークカードを場名方向から挿入するように設計されていることが多いので、マークカードをスムーズに挿入することができるようになる。
（ｂ）アクリル材を主体とした製品なので、必ず静電気防止剤を塗布してから設置し、年１回程度は静電気防止剤を再塗布する。
（ｃ）競技場では警備員がマークカードの補給作業を行うので、補給方法を事前に説明しておく必要がある。
（ｄ）実物を見れば分かるので、カード収納ボックスからのマークカードの取り出し方法（抜き取り方法）の説明書は不要であるが、ファンに対して「カード収納ボックスに関する簡単な説明」が必要と思われるので、カード収納ボックスの近傍に「簡易マニュアル」のようなものを設置しておく。
（ｅ）競技終了後はカード収納ボックスを回収する必要があるので、カード収納ボックスは所定の設置場所に「厚めの両面接着テープ」で設置（仮固定）するものとする。
【００３６】
本実施形態のカード収納ボックスによれば、上記構成例のように構成することにより、内箱部１内に収納したマークカード２を１０枚以内の任意の枚数だけ取り出し得るカード取出口が形成されるので、このカード取出口によって、最大取出枚数が所望の通り１０枚に制限されるとともに、カードホルダ３によってマークカード２を前面板１ａに押圧付勢することと相俟って、上記イタズラ行為が防止される。したがって、カードの無駄使いを防止してエコロジーに寄与するとともに上記イタズラ行為を防止するようにしたカード収納ボックスを提供することができる。
【００３７】
また、本実施形態のカード収納ボックスによれば、天井板５と前面板１ａとの隙間（垂直方向の離間距離）を１５ｍｍ〜２５ｍｍに設定し、前面板１ａの垂直面に対する傾斜角度を５°〜８°に設定し、天井板５の前端部に形成した薄肉部の切り欠きを、奥行方向に２ｍｍ〜５ｍｍ、幅方向に５５ｍｍ〜６０ｍｍに設定することにより、１枚当たりの厚さが０．０９５ｍｍ〜０．１７５ｍｍのカードを収納する場合に最大取出枚数を８枚〜１５枚の何れかの枚数に設定することができる。したがって、現在実際に公営競技場で使用されている様々な厚さのマークカードは勿論、ロトシックス申込カード等の宝くじ購入カードを含む各種カードの収納に対応可能である、カードの無駄使いを防止してエコロジーに寄与するとともに上記イタズラ行為を防止するようにしたカード収納ボックスを提供することができる。
【００３８】
また、本実施形態のカード収納ボックスによれば、仕切板１ｄを介在させることにより内箱部１を２区画に区分し、それぞれの区画に対応させてカードホルダ３および天井板５の切り欠きを設けることにより、種類の異なるカードを収納し得る複数のカード収納部１ｅを形成したので、賭式の異なるマークカード等の種類の異なるカードを１つのカード収納ボックス内に収納してファンに提供するサービスを行い得るようになる。
また、本実施形態のカード収納ボックスによれば、内箱部１は、カード収納部１つ当たりカードを５００枚〜７００枚収納し得る容積を有するから、公営競技で使用するカードであるマークカードを補給する際に５００枚単位に束ねられた状態のマークカードをカード収納部１ｅに収納する作業が容易に実施できるようになり、ファンに継続的にマークカードを提供できるようになる。
また、本実施形態のカード収納ボックスによれば、上記のように構成したカードフォルダ３を折り畳んだ状態で、当接部材３ａがマークカード２に当接するように内箱部１内に配置するようにしたので、カード収納部１ｅ内に最大枚数５００枚〜７００枚のカードを収納した状態のときも、使用するにつれて枚数が減ってカード収納部１ｅ内に１枚のカードを収納した状態のときも、カード収納部１ｅ内に収納したマークカード２を前面板１ａに押圧付勢することにより、マークカードを取り出し易くするとともにマークカードをカード収納ボックス内に入れたり戻したりするイタズラ行為を防止することができる。
【００３９】
なお、上記第１実施形態のカード収納ボックスは、オートレース用マークカード（縦１４２ｍｍ×横９０ｍｍ×厚さ０．１２ｍｍ）を収納対象としたが、ロトシックス申込カード等の宝くじ購入カードを含む各種カードを収納対象とする場合は、当該カードの厚さおよび最大取出枚数に応じて上記数値範囲内で上記数値を変更することにより、各種カードに対応させることができる。なお、その際、当該カードの横方向寸法に応じて内箱部１の高さ方向寸法を変更し、当該カードの縦方向寸法に応じて内箱部１の幅方向寸法を変更するものとする。
また、オートレース等の競技場においては、入場門付近に設置したカード置場ではファンが一度に多くの枚数のマークカードを持って行く傾向があるため、１つの競技場に設置する複数台のカード収納ボックスの最大取出枚数を全て同一とせずに、例えば、「入場門付近用＝１２枚」、投票場付近用＝８枚」のように、必要に応じて最大取出枚数が異なるカード収納ボックスを作成しておけば、ファンのニーズに的確に応えられるようになる。
【図面の簡単な説明】
【００４０】
【図１】本考案の第１実施形態のカード収納ボックスの全体構成を示す斜視図である。
【図２】（ａ）は第１実施形態のカード収納ボックスの天井板の平面図であり、（ｂ）は（ａ）のＡ−Ａ断面図である。
【図３】（ａ），（ｂ）は第１実施形態のカード収納ボックスに用いるカードフォルダを示す図である。
【図４】第１実施形態のカード収納ボックス内にマークカードを収納した状態を示す図である。
【符号の説明】
【００４１】
１  内箱部
１ａ  前面板
１ｂ  背面板
１ｃ  底面板
１ｄ  仕切板
１ｅ  カード収納部
２  マークカード（カード）
３  カードホルダ
３ａ  当接部材
３ｂ  コの字型部材
３ｃ  矩形部材
３ｄ  蝶番
４  外箱部
４ａ  左側面板
４ａ−１  溝
４ｂ  右側面板
４ｂ−１  溝
４ｃ  底面板
４ｄ  背面上部板
４ｅ  前面下部板
４ｆ  背面下部板
５  天井板
５ａ  溝
５ｂ  楕円穴
５ｃ  段差付き切欠
６  蝶番
【図１】
0003124803.tif 000003
【図２】
0003124803.tif 000004
【図３】
0003124803.tif 000005
【図４】
0003124803.tif 000006